(57)【特許請求の範囲】
【請求項１】
クロノグラフ計測モードにおいて、秒、分及び時の経過時間を計測することができるクロノグラフ時計において、
クロノグラフ時計の基板を構成する地板（１０２）と、
クロノグラフ計測モードにおいて、香箱車（１１０）の回転に基づいて秒の経過時間を計測するための秒クロノグラフ車（２１４）と、
クロノグラフ計測モードにおいて、香箱車（１１０）の回転に基づいて分の経過時間を計測するための分クロノグラフ輪列（３２２）と、
クロノグラフ計測モードにおいて、香箱車（１１０）の回転に基づいて時の経過時間を計測するための時クロノグラフ輪列（３３２、３３６）と、
前記秒クロノグラフ車（２１４）の回転により秒の経過時間の計測結果を表示するクロノグラフ秒表示部材（１１８）と、
前記分クロノグラフ輪列（３２２）の回転により分の経過時間の計測結果を表示するクロノグラフ分表示部材（１２４）と、
前記時クロノグラフ輪列（３２６）の回転により時の経過時間の計測結果を表示するクロノグラフ時表示部材（１２８）と、
前記地板（１０２）に対して移動可能に設けられた作動レバー（４１４）と、
前記作動レバー（４１４）の摺動移動に基づいて１つの方向に回転する作動カム（４２０）とを備え、
前記作動カム（４２０）はラチェット歯（４２４）及び駆動歯（４２２）を有し、前記ラチェット歯（４２４）の歯数は前記駆動歯（４２２）の歯数の２倍であり、前記作動レバー（４２４）は前記ラチェット歯（４２４）に係合可能に設けられ、
クロノグラフ計測を行わないモードにおいて、前記駆動歯（４２２）の回転により、前記秒クロノグラフ車（２１４）の回転を停止させることができるように構成された停止レバー（４４０）を備えており、
さらに、前記香箱車（１１０）の回転に基づいて回転する秒クロノグラフ中間車（２１２）と、
クロノグラフ計測モードにおいて、前記秒クロノグラフ中間車（２１２）の回転に基づいて回転する秒クロノグラフ車（２１４）と、
前記秒クロノグラフ車（２１４）の回転に基づいて秒の経過時間の計測結果を表示するクロノグラフ秒表示部材（１１８）と、
クロノグラフ計測を行わないモードにおいて、前記秒クロノグラフ中間車（２１２）の回転を前記秒クロノグラフ車（２１４）に伝達させず、クロノグラフ計測モードにおいて、前記秒クロノグラフ中間車（２１２）の回転を前記秒クロノグラフ車（２１４）に伝達させるための発停レバー（４４２）とを更に備え、
前記停止レバー（４４０）の作動により、前記発停レバー（４４２）が作動するように構成されており、
さらに、前記秒クロノグラフ中間車（２１２）の上軸部を回転可能に案内するための案内枠（４４２ｄ）が前記発停レバー（４４２）に設けられており、
前記案内枠（４４２ｄ）の外周部（４４２ｆ）が、前記秒クロノグラフ車（２１４）の上軸部を回転可能に案内する部材（２０２）の当接部（２０２ｄ）に当たることにより、クロノグラフ計測モードにおいて、前記発停レバー（４４２）の位置を規正し、それによって、前記秒クロノグラフ中間車（２１２）のかな（２１２ｂ）と前記秒クロノグラフ車（２１４）の歯車との噛み合いの状態を確実に維持することができるように構成される、
ことを特徴とするクロノグラフ時計。
【請求項２】
クロノグラフ計測モードにおいて、秒、分及び時の経過時間を計測することができるクロノグラフ時計において、
クロノグラフ時計の基板を構成する地板（１０２）と、
クロノグラフ計測モードにおいて、香箱車（１１０）の回転に基づいて秒の経過時間を計測するための秒クロノグラフ車（２１４）と、
クロノグラフ計測モードにおいて、香箱車（１１０）の回転に基づいて分の経過時間を計測するための分クロノグラフ輪列（３２２）と、
クロノグラフ計測モードにおいて、香箱車（１１０）の回転に基づいて時の経過時間を計測するための時クロノグラフ輪列（３３２、３３６）と、
前記秒クロノグラフ車（２１４）の回転により秒の経過時間の計測結果を表示するクロノグラフ秒表示部材（１１８）と、
前記分クロノグラフ輪列（３２２）の回転により分の経過時間の計測結果を表示するクロノグラフ分表示部材（１２４）と、
前記時クロノグラフ輪列（３２６）の回転により時の経過時間の計測結果を表示するクロノグラフ時表示部材（１２８）と、
前記地板（１０２）に対して移動可能に設けられた作動レバー（４１４）と、  前記作動レバー（４１４）の摺動移動に基づいて１つの方向に回転する作動カム（４２０）とを備え、
前記作動カム（４２０）はラチェット歯（４２４）及び駆動歯（４２２）を有し、前記ラチェット歯（４２４）の歯数は前記駆動歯（４２２）の歯数の２倍であり、前記作動レバー（４２４）は前記ラチェット歯（４２４）に係合可能に設けられ、
クロノグラフ計測を行わないモードにおいて、前記駆動歯（４２２）の回転により、前記秒クロノグラフ車（２１４）の回転を停止させることができるように構成された停止レバー（４４０）を備えており、
さらに、前記香箱車（１１０）の回転に基づいて回転する秒クロノグラフ中間車（２１２）と、
クロノグラフ計測モードにおいて、前記秒クロノグラフ中間車（２１２）の回転に基づいて回転する秒クロノグラフ車（２１４）と、
前記秒クロノグラフ車（２１４）の回転に基づいて秒の経過時間の計測結果を表示するクロノグラフ秒表示部材（１１８）と、
クロノグラフ計測を行わないモードにおいて、前記秒クロノグラフ中間車（２１２）の回転を前記秒クロノグラフ車（２１４）に伝達させず、クロノグラフ計測モードにおいて、前記秒クロノグラフ中間車（２１２）の回転を前記秒クロノグラフ車（２１４）に伝達させるための発停レバー（４４２）とを更に備え、
前記停止レバー（４４０）の作動により、前記発停レバー（４４２）が作動するように構成されており、
さらに、前記クロノグラフ時計は、前記停止レバー（４４０）の回転により回転する時発停伝えレバー（４５２）と、
前記時発停伝えレバー（４５２）の回転により回転する時発停レバー（２５４）を更に備え、
クロノグラフ計測を行わないモードにおいて、前記時発停レバー（２５４）が前記時クロノグラフ輪列（３２６）を構成する歯車の回転を規正し、クロノグラフ計測モードにおいて、前記時発停レバー（２５４）が前記時クロノグラフ輪列（３２６）を構成する歯車の回転を許容するように構成されている、
ことを特徴とするクロノグラフ時計。
【請求項３】
前記時発停伝えレバー（４５２）が前記地板（１０２）の一方の側に配置され、
前記時発停レバー（２５４）が前記地板（１０２）の他方の側に配置され、
前記地板（１０２）の一方の側から前記地板（１０２）の他方の側に貫通するように設けられ、かつ、前記時発停伝えレバー（４５２）に設けられた時発停伝えレバー作動ピン（４５４）を備え、
前記時発停伝えレバー作動ピン（４５４）の移動により、前記時発停伝えレバー（４５２）の作動を前記時発停レバー（２５４）に伝達させるように構成されている、
ことを特徴とする請求項２に記載のクロノグラフ時計。
【発明の詳細な説明】
【０００１】
【発明の属する技術分野】
本発明は、クロノグラフ時計に関するもので、特に、「時」、「分」、「秒」を計測して、それぞれの計測結果をクロノグラフ時針、クロノグラフ分針、クロノグラフ秒針で表示するクロノグラフ時計に関する。
【０００２】
【従来の技術】
図３２を参照すると、従来のクロノグラフ時計においては、香箱車１１０が表輪列３１２を回転させる。ぜんまい（図示せず）が香箱車１１０内に配置され、クロノグラフ時計の動力源を構成する。香箱かな９１２が香箱車スリップ機構９１０を介して香箱車１１０に取付けられている。時クロノグラフ中間車９１４が香箱かな９１２の回転により回転するように組み込まれる。時クロノグラフ歯車９１６が時クロノグラフ中間車９１４の回転により回転するように組み込まれる。時クロノグラフ車真９２０が時クロノグラフスリップ機構９１８を介して時クロノグラフ歯車９１６に取付けられ、時クロノグラフ車真９２０に取付けられたクロノグラフ時針１２８により、１時間経過のような「時」の経過時間の計測結果を表示する。
【０００３】
秒クロノグラフ輪列３１６が表輪列３１２の回転により回転するように組み込まれる。秒クロノグラフ車真９３４が、秒クロノグラフスリップ機構９３２を介して秒クロノグラフ輪列３１６に連結される。秒クロノグラフ車真９３４に取付けられたクロノグラフ秒針１１８により、１秒経過のような「秒」の経過時間の計測結果を表示する。
分クロノグラフ輪列９４０が秒クロノグラフ輪列３１６の回転により回転するように組み込まれる。分クロノグラフ車真９４４が、分クロノグラフスリップ機構９４２を介して分クロノグラフ輪列９４０に連結される。分クロノグラフ真９４４に取付けられたクロノグラフ分針１２４により、１分経過のような「分」の経過時間の計測結果を表示する。秒クロノグラフ輪列３１６から分クロノグラフ輪列３２２への回転の伝達は、揺動車（図示せず）を介して行うように構成されている。
【０００４】
このような従来のクロノグラフ時計においては、時クロノグラフスリップ機構９１８、秒クロノグラフスリップ機構９３２及び分クロノグラフスリップ機構９４２は、クラッチばねを含むように構成されている。そして、このクラッチばねを作動させて、クロノグラフ輪列の作動を制御するように構成されている。
また、従来のクロノグラフ時計においては、クロノグラフ時計をスタート／ストップさせるボタンを押すときに、このボタンによって作動する作動レバーを用いている。そして、この作動レバーを位置決めするのに線ばねを用い、作動レバーの一部を曲げて、この曲げ部に線ばねを引っ掛けている。
また、従来のクロノグラフ時計においては、リセットボタンを押してクロノグラフ針を復針させるときに、復針レバーを板ばねによって作動させている。
【０００５】
また、従来のクロノグラフ時計においては、クロノグラフの動作開始および停止、帰零を制御するかんぬきの作用下に置かれるカムを有し、このカムがクロノグラフの種々の機能を制御するように構成されていた。
例えば、特開昭５０−９４６３号公報及び特開昭５０−９４６４号公報に、従来のクロノグラフ時計の構成が開示されている。
【０００６】
【発明が解決しようとする課題】
しかし、従来のクロノグラフ時計では、下記の課題があった。
（１）時クロノグラフスリップ機構、秒クロノグラフスリップ機構及び分クロノグラフスリップ機構は、クラッチばねを含むように構成されているので、クロノグラフ機構を構成する部品数が多く、時計の構造が複雑であった。
（２）クロノグラフ時計を発進／停止させるスタート・ストップボタンを押すときに、このボタンによって作動する作動レバーの位置決め及び組立が困難であった。特に、作動レバーの位置決めに線ばねを用いているので、線ばねの曲げ具合を調整するのが難しかった。
（３）復針レバーの作動量が大きいクロノグラフ時計では、復針レバーを作動させるためのばねのたわみ量を大きくしなければならない。このため、復針レバーを作動させるためのばねが大きくかつ長くなり、ムーブメントのサイズを大きくする必要があった。
【０００７】
【発明の目的】
本発明の目的は、クロノグラフ時計の発停作動をさせるのに適したレバー装置を備えた小型のクロノグラフ時計を提供することにある。
【０００８】
【課題を解決するための手段】
上記課題を解決するために、本発明のクロノグラフ時計は、クロノグラフ時計の基板を構成する地板と、クロノグラフ計測モードにおいて、香箱車の回転に基づいて秒の経過時間を計測するための秒クロノグラフ車を備える。
【０００９】
更に、本発明のクロノグラフ時計は、クロノグラフ計測モードにおいて、香箱車の回転に基づいて分の経過時間を計測するための分クロノグラフ輪列を備える。
【００１０】
更に、本発明のクロノグラフ時計は、クロノグラフ計測モードにおいて、香箱車の回転に基づいて時の経過時間を計測するための時クロノグラフ輪列を備える。
【００１１】
更に、本発明のクロノグラフ時計は、秒クロノグラフ車の回転により秒の経過時間の計測結果を表示するクロノグラフ秒表示部材と、分クロノグラフ輪列の回転により分の経過時間の計測結果を表示するクロノグラフ分表示部材と、時クロノグラフ輪列の回転により時の経過時間の計測結果を表示するクロノグラフ時表示部材とを備える。
【００１２】
更に、本発明のクロノグラフ時計は、地板に対して移動可能に設けられた作動レバーと、作動レバーの摺動移動に基づいて１つの方向に回転する作動カムとを備える。
【００１３】
本発明のクロノグラフ時計では、作動カムはラチェット歯及び駆動歯を有し、ラチェット歯の歯数は駆動歯の歯数の２倍であり、作動レバーはラチェット歯に係合可能に設けられ、クロノグラフ計測を行わないモードにおいて、駆動歯の回転により、秒クロノグラフ車の回転を停止させることができるように構成された停止レバーを備えるように構成される。
【００１４】
さらに、本発明のクロノグラフ時計は、香箱車の回転に基づいて回転する秒クロノグラフ中間車と、クロノグラフ計測モードにおいて、秒クロノグラフ中間車の回転に基づいて回転する秒クロノグラフ車と、秒クロノグラフ車の回転に基づいて秒の経過時間の計測結果を表示するクロノグラフ秒表示部材と、クロノグラフ計測を行わないモードにおいて、秒クロノグラフ中間車の回転を秒クロノグラフ車に伝達させず、クロノグラフ計測モードにおいて、秒クロノグラフ中間車の回転を前記秒クロノグラフ車に伝達させるための発停レバーとを更に備え、停止レバーの作動により、発停レバーが作動するように構成される。さらに、本発明のクロノグラフ時計では、秒クロノグラフ中間車の上軸部を回転可能に案内するための案内枠が発停レバーに設けられ、案内枠の外周部が、秒クロノグラフ車の上軸部を回転可能に案内する部材の当接部に当たることにより、クロノグラフ計測モードにおいて、発停レバーの位置を規正するように構成されている。それによって、本発明のクロノグラフ時計では、秒クロノグラフ中間車のかなと秒クロノグラフ車の歯車との噛み合いの状態を確実に維持することができる。
【００１５】
更にまた、本発明のクロノグラフ時計は、停止レバーの回転により回転する時発停伝えレバーと、時発停伝えレバーの回転により回転する時発停レバーを更に備え、クロノグラフ計測を行わないモードにおいて、時発停レバーが時クロノグラフ輪列を構成する歯車の回転を規正し、クロノグラフ計測モードにおいて、時発停レバーが時クロノグラフ輪列を構成する歯車の回転を許容するように構成されているのが好ましい。
【００１６】
このように構成することにより、クロノグラフ時計の発停作動を少ない部品で確実に行うことができる。しかも、本発明のクロノグラフ機構に用いられる各レバーは線ばねを必要としない。
【００１７】
そして、本発明のクロノグラフ時計では、時発停伝えレバーが地板の一方の側に配置され、時発停レバーが地板の他方の側に配置され、地板の一方の側から地板の他方の側に貫通するようにもうけられ、かつ、時発停伝えレバーに設けられた時発停伝えレバー作動ピンを備え、時発停伝えレバー作動ピンの移動により、時発停伝えレバーの作動を時発停レバーに伝達させるように構成されるのが好ましい。
【００１８】
【発明の実施の形態】
以下に、本発明の実施の形態を図面に基づいて説明する。
なお、説明を明瞭にするために、それぞれの図面においては、本発明の構成と関連が薄い部分の構造の記載を省略してある。従って、従来のクロノグラフ時計と同様な構造を利用することができる切り換え装置、針合わせ装置、自動巻き装置、手巻き装置、カレンダ装置、カレンダ修正装置等に関する説明は省略する。
（１）表輪列及びクロノグラフ輪列の構成
（１−１）クロノグラフ機構を作動させていない状態
図１〜図５を参照すると、本発明のクロノグラフ時計のムーブメント（機械体）１００は、地板１０２と、二番受１２０と、三番受１２２とを備えている。
【００１９】
地板１０２の両側のうちで、文字板１０４のある方の側をムーブメントの「裏側」と称し、文字板１０４のある方の側と反対側をムーブメントの「表側」と称する。ムーブメントの「表側」に組み込まれる輪列を「表輪列」と称し、ムーブメントの「裏側」に組み込まれる輪列を「裏輪列」と称している。
文字板受リング１０６が地板１０２と文字板１０４との間に配置されている。文字板受リング１０６は、文字板１０４の裏面を受ける。
文字板１０４の表面の外周部分には、通常、１から１２の数字又はこれに対応する略字等が設けられている。従って、時計の外周部分に沿う各方向をこの数字を用いて表現することができる。
【００２０】
例えば、腕時計の場合には、
▲１▼  腕時計の上方向、上側をそれぞれ「１２時方向」、「１２時側」と称し、
▲２▼  腕時計の右方向、右側をそれぞれ「３時方向」、「３時側」と称し、
▲３▼  腕時計の下方向、下側をそれぞれ「６時方向」、「６時側」と称し、
▲４▼  腕時計の左方向、左側をそれぞれ「９時方向」、「９時側」と称する。
同様に、
▲５▼  文字板の２時目盛に対応する方向、位置を「２時方向」、「２時位置」と称し、
▲６▼  文字板の４時目盛に対応する方向、位置を「４時方向」、「４時位置」と称する。
例えば、図５において、ムーブメントの「１２時方向」、「３時方向」、「６時方向」、「９時方向」を示す。この場合に、ムーブメントの「３時方向」には、巻真１０８が配置されている。
図３から図６を参照すると、香箱車１１０が三番受１２２及び地板１０２に回転可能に組み込まれる。香箱車１１０の中に設けられたぜんまい（図示せず）がクロノグラフ時計の動力源を構成する。二番車１３０が香箱車１１０の回転に基づいて回転するように設けられる。分伝えかな１１４が二番車１３０の回転に基づいて回転するように設けられる。分車１３２が分伝えかな１１４の回転に基づいて回転するように設けられる。この構造では、分伝えかな１１４はアイドラを構成する。分車１３２に取付けられた分針１３４が「分」の表示を行うように構成されている。
【００２１】
図３を参照すると、三番車１３６が二番車１３０の回転に基づいて回転するように設けられる。三番車１３６は三番受１２２及び地板１０２に、回転可能に支持される。秒車１５４が三番車１３６の回転に基づいて回転するように設けられる。秒車１５４は三番受１２２及び地板１０２に、回転可能に支持される。秒車１５４は１分間に１回転、回転するように設けられる。秒車１５４に取付けられた秒針１５６が「秒」の表示を行うように構成されている。秒車１５４の回転中心は分車１３２の回転中心とは異なる。すなわち、秒針１５６はいわゆる「小秒針」を構成する。
てんぷ１４０が時計の調速装置を構成し、アンクル１４２及びがんぎ車１４４が時計の脱進装置を構成する。秒車１５４の回転は、てんぷ１４０、アンクル１４２及びがんぎ車１４４によって制御される。分車１３２は１時間に１回転するように設けられている。
【００２２】
図４を参照すると、日の裏車１４６が分車１３２の回転に基づいて回転するように設けられる。筒車１４８が、日の裏車１４６の回転に基づいて１２時間に１回転するように設けられる。筒車１４８の歯車部分１４８ａは、地板１０２と日車押さえ２７２との間に配置される。筒車１４８に取付けられた時針１５０が「時」の表示を行うように構成されている。本発明のこの構成では、分車１３２の回転中心と、筒車１４８の回転中心は同一である。
図５を参照すると、香箱車１１０の回転中心は、ムーブメントの「３時方向」と「６時方向」との間に位置している。てんぷ１４０の回転中心は、ムーブメントの「９時方向」と「１２時方向」との間に位置している。秒車１５４の回転中心は、ムーブメントのほぼ「９時方向」に位置している。二番車１３０の回転中心、分車１３２の回転中心、及び三番車１３６の回転中心は、ムーブメントの「６時方向」と「９時方向」との間に位置している。
【００２３】
図１を参照すると、クロノグラフ機構を作動させていない状態では、秒クロノグラフ中間車２１２が、発停レバー４４２及び地板１０２に回転可能に組み込まれる。秒クロノグラフ中間車２１２は、秒クロノグラフ中間かな２１２ａ及び秒クロノグラフ伝えかな２１２ｂを備える。秒クロノグラフ中間かな２１２ａは秒車１５４と噛み合っている。秒クロノグラフ中間車２１２は秒車１５４の回転に基づいて回転するように設けられる。
秒クロノグラフ車２１４が、クロノグラフ受２０２及び二番受１２０に回転可能に組み込まれる。秒クロノグラフ車２１４の回転中心と、分車１３２及び筒車１４８の回転中心とは同一である。針座１７０が、秒クロノグラフ車２１４をクロノグラフ受２０２に押し付けるように、秒クロノグラフ車２１４の太軸部ｇと二番受１２０との間に組み込まれる。針座１７０を使用することにより、秒クロノグラフ車２１４の回転時のクロノグラフ秒針１１８の作動を安定させることができる。
【００２４】
図１及び図７を参照すると、クロノグラフ機構を作動させない状態では、発停レバー４４２がクロノグラフ機構を作動させないように、回転中心４４２ｔを中心として矢印４４２ｕの方向に回転移動する。その結果、秒クロノグラフ伝えかな２１２ｂは秒クロノグラフ車２１４と噛み合わないように構成されている。
これに対して、クロノグラフ機構を作動させている状態では、後述するように、発停レバー４４２がクロノグラフ機構を作動させるように、回転中心４４２ｔを中心として矢印４４２ｖの方向に回転移動する。その結果、秒クロノグラフ伝えかな２１２ｂが秒クロノグラフ車２１４と噛み合うように構成されている。このような秒クロノグラフ伝えかな２１２ｂと秒クロノグラフ車２１４とが噛み合っている状態では、秒クロノグラフ車２１４は１分間に１回転するように構成されている。
【００２５】
クロノグラフ秒針１１８が秒クロノグラフ車２１４に取付けられ、秒の経過時間の計測結果を表示するように構成されている。クロノグラフ秒針１１８はクロノグラフ秒表示部材であり、時計針であってもよいし、円板や、キャラクターの手又は足や、花又は星等の形態であってもよい。
本発明のクロノグラフ時計を自動巻時計として構成する場合には、回転錘（図示せず）をクロノグラフ受２０２に回転可能に組み込む。自動巻時計は、回転錘の回転により自動巻機構（図示せず）を介してぜんまい（図示せず）を巻き上げるように構成するのがよい。
秒ハートカム２２０が秒クロノグラフ車２１４に固定され、秒クロノグラフ車２１４と一体に回転するように構成される。
【００２６】
図１に示すように、クロノグラフ機構が作動していない状態では、発停レバー４４２は、秒クロノグラフ伝えかな２１２ｂが秒クロノグラフ車２１４から離れるように、秒クロノグラフ伝えかな２１２ｂを位置決めする。
図２を参照すると、分クロノグラフ中間車２５８がクロノグラフ受２０２及び三番受１２２に回転可能に組み込まれる。分回しつめ２５６が秒クロノグラフ車２１４に固定される。
図８及び図９を参照すると、秒クロノグラフ車２１４は秒クロノグラフ歯車２１４ａと、秒クロノグラフ真２１４ｂと、秒ハートカム２２０と、分回しつめ２５６とを有するように構成されている。分回しつめ２５６は、ばね性を有するように、弾性材料で構成されている。分回し部分２５６ａが分回しつめ２５６に設けられ、分クロノグラフ中間車２５８の歯車部分に当たる。
【００２７】
秒クロノグラフ車２１４が１回転すると、分回しつめ２５６が分クロノグラフ中間車２５８の歯車部分を送ることにより、分クロノグラフ中間車２５８を１歯分だけ回転させる。
分クロノグラフ車２６０がクロノグラフ受２０２及び地板１０２に回転可能に組み込まれる。分クロノグラフ車２６０は、分クロノグラフ中間車２５８の回転に基づいて回転するように構成されている。分ジャンパ２６４が分クロノグラフ車２６０の回転を弾性力により規正する。分ハートカム２６２が分クロノグラフ車２６０に固定される。
クロノグラフ分針１２４が分クロノグラフ車２６０に取付けられ、クロノグラフ機構の作動中、例えば、「１分間」のような「分」の経過時間の計測結果を表示するように構成される。
【００２８】
クロノグラフ分針１２４はクロノグラフ分表示部材であり、時計針であってもよいし、円板や、キャラクターの手又は足や、花又は星等の形態であってもよい。
図１０及び図１１を参照すると、時クロノグラフ伝え車（Ａ）２４６が地板１０２及び三番受１２２に回転可能に組み込まれ、香箱車１１０の回転に基づいて回転するように構成されている。時クロノグラフ伝え車（Ａ）２４６の上案内軸部は、三番受１２２に案内されるように構成してもよいし、クロノグラフ受２０２に案内されるように構成してもよい。
時クロノグラフ伝え車（Ｂ）２４４が歯車部分２４４ａと、案内軸部分２４４ｂと、嵌め合い部分２４４ｃを有する。時クロノグラフ伝え車（Ｂ）２４４は、その歯車部分２４４ａを地板１０２の文字板側に配置して、案内軸部分２４４ｂを地板１０２に回転可能に組み込まれる。時クロノグラフ伝え車（Ｃ）２４２が時クロノグラフ伝え車（Ｂ）２４４の嵌め合い部分２４４ｃに組み込まれる。
【００２９】
図１２を参照すると、時クロノグラフ伝え車（Ｃ）２４２は、弾性変形可能なばね部２４２ａと、当接部２４２ｂと、案内部２４２ｃとを有する。当接部２４２ｂはばね部２４２ａの先端側の部分に設けられる。当接部２４２ｂと案内部２４２ｃが時クロノグラフ伝え車（Ｂ）２４４の嵌め合い部分２４４ｃに組み込まれる。従って、時クロノグラフ伝え車（Ｃ）２４２は、時クロノグラフ伝え車（Ｂ）２４４に対して、所定のスリップトルクを超えるとスリップすることができる。本発明の実施の形態では、このスリップトルクが、例えば、約０．２ｇ・ｃｍになるように構成されている。
この構成では、香箱車１１０の回転により時クロノグラフ伝え車（Ａ）２４６が回転し、時クロノグラフ伝え車（Ａ）２４６の回転により、時クロノグラフ伝え車（Ｃ）２４２及び時クロノグラフ伝え車（Ｂ）２４４が一体となって回転するように構成されている。
【００３０】
時クロノグラフ車２５０が地板１０２及び日車押さえ２７２に回転可能に組み込まれ、時クロノグラフ伝え車（Ｂ）２４４の回転に基づいて回転するように構成されている。時クロノグラフ車２５０は時クロノグラフ歯車２５０ａ、時クロノグラフ真２５０ｂ及び時ハートカム２５２を有し、時クロノグラフ真２５０ｂと時ハートカム２５２とは、一体に回転することができるように構成されている。
図１１において、ムーブメントの「１２時方向」、「３時方向」、「６時方向」、「９時方向」を示す。
時クロノグラフ車２５０の回転中心は、ムーブメントのほぼ「６時方向」に位置している。切換装置２９０が、ムーブメントの「３時方向」と「１２時方向」との間に位置している。切換装置２９０は、おしどり、かんぬき、おしどり押さえ等を含む。
【００３１】
クロノグラフ時針１２８が時クロノグラフ真２５０ｂに取付けられ、クロノグラフ機構の作動中、例えば、「１時間」のような「時」の経過時間の計測結果を表示するように構成される。
クロノグラフ時針１２８はクロノグラフ時表示部材であり、時計針であってもよいし、円板や、キャラクターの手又は足や、花又は星等の形態であってもよい。
本発明のクロノグラフ時計をカレンダ付き時計として構成する場合には、日車（図示せず）が地板１０２に回転可能に組み込まれる。このような構成では、日車に印刷された日文字により、「日」の表示を行うことができる。日車は、表輪列（香箱車から分車）の回転に基づいて、カレンダ送り機構（図示せず）によって作動される。
【００３２】
図１３を参照すると、以上に説明した本発明のクロノグラフ時計では、表輪列３１２が香箱車１１０の回転により回転する。表輪列３１２は、二番車１３０と、分伝えかな１１４と、分車１３２と、三番車１３６と、秒車１５４とを含む。
この表輪列３１２の回転により、秒クロノグラフ中間車２１２が回転する。クロノグラフ機構を作動させていない状態では、秒クロノグラフ中間車２１２は秒クロノグラフ車２１４と噛み合わない。
クロノグラフ機構を作動させている状態では、秒クロノグラフ中間車２１２は秒クロノグラフ車２１４と噛み合う。従って、秒クロノグラフ車２１４の取付けられたクロノグラフ秒針１１８により、クロノグラフの「秒」の計測結果を表示することができる。
【００３３】
分クロノグラフ輪列３２２が秒クロノグラフ車２１４の回転により回転する。分クロノグラフ輪列３２２は分クロノグラフ中間車２５８と、分クロノグラフ車２６０とを含む。従って、分クロノグラフ車２６０に取付けられたクロノグラフ分針１２４により、クロノグラフの「分」の計測結果を表示することができる。
第１時クロノグラフ輪列３３２が香箱車１１０の回転により回転する。第１時クロノグラフ輪列３３２は  時クロノグラフ伝え車（Ａ）２４６と、時クロノグラフ伝え車（Ｃ）２４２とを含む。時クロノグラフスリップ機構３３４が、第１時クロノグラフ輪列３３２と第２時クロノグラフ輪列３３６との間に設けられる。時クロノグラフスリップ機構３３４は、時クロノグラフ伝え車（Ｃ）２４２の当接部２４２ｂ及びと案内部２４２ｃと、時クロノグラフ伝え車（Ｂ）２４４の嵌め合い部分２４４ｃとによって構成されている。
【００３４】
第２時クロノグラフ輪列３３６は時クロノグラフ伝え車（Ｂ）２４４と、時クロノグラフ車２５０とを含む。第２時クロノグラフ輪列３３６は、第１時クロノグラフ輪列３３２の回転により回転する。従って、時クロノグラフ車２５０に取付けられたクロノグラフ時針１２８により、クロノグラフの「時」の計測結果を表示することができる。
第２時クロノグラフ輪列３３６の回転が規正されるときには、時クロノグラフスリップ機構３３４のスリップ作用により、第１時クロノグラフ輪列３３２は第２時クロノグラフ輪列３３６に対してスリップしながら回転する。
（１−２）クロノグラフ機構を作動させている状態
図１４及び図１５を参照すると、本発明のクロノグラフ時計においてクロノグラフ機構を作動させている状態では、発停レバー４４２がクロノグラフ機構を作動させるように、回転中心４４２ｔを中心として矢印４４２ｖの方向に回転移動する。その結果、秒クロノグラフ伝えかな２１２ｂが秒クロノグラフ車２１４と噛み合うように構成されている。このような秒クロノグラフ伝えかな２１２ｂと秒クロノグラフ車２１４とが噛み合っている状態では、秒クロノグラフ車２１４は１分間に１回転するように構成されている。
【００３５】
案内枠４４２ｄが発停レバー４４２に設けられる。上枠４４２ｅが案内枠４４２ｄに取付けられている。上枠４４２ｅは秒クロノグラフ中間車２１２の上軸部を回転可能に案内する。案内枠４４２ｄの外周部４４２ｆがクロノグラフ受２０２の当接部２０２ｄに当たることにより、発停レバー４４２の矢印４４２ｖの方向への回転は規正される。従って、この構成により、秒クロノグラフ伝えかな２１２ｂと秒クロノグラフ車２１４との噛み合いの状態を確実に維持することができる。
クロノグラフ秒針１１８が秒クロノグラフ車２１４に取付けられ、秒の経過時間の計測結果を表示するように構成されている。
以上説明した構成により、本発明のクロノグラフ時計では、クロノグラフ秒表示部材を構成するクロノグラフ秒針１１８が「秒」の経過時間の計測結果を表示し、クロノグラフ分表示部材を構成するクロノグラフ分針１２４が「分」の経過時間の計測結果を表示し、クロノグラフ時表示部材を構成するクロノグラフ時針１２８が「時」の経過時間の計測結果を表示する。
【００３６】
（２）クロノグラフ作動機構の構造と作動
（２−１）クロノグラフ計測が作動する前の各部品の構成
図１７及び図１８を参照して、本発明のクロノグラフ時計の実施の形態のムーブメント１００の表側のクロノグラフ作動機構の構造を説明する。
ムーブメントの２時方向には、スタート・ストップボタン８３０が設けられ、このスタート・ストップボタンを矢印４１０で指示する方向に押すことにより、作動レバー４１４を移動させることができるように構成されている。
また、ムーブメントの４時方向には、リセットボタン８４０が設けられ、このリセットボタン８４０を矢印４１２で指示する方向に押すことにより、時復針伝達レバー５１０を移動させることができるように構成されている。
ここで、本明細書では、説明の都合上、平面図において、部材を止める止めねじを図示して、部材の回転中心又は案内となるピンを図示できない場合には、その止めねじの中心位置を図面内にクロスで示し、そのクロスにピンの参照符号を付けることにより、ピンの位置を表示するものとする。
【００３７】
作動レバー４１４は、作動レバー案内ピン４１６（中心位置を図１７に４１６で示す）に案内されて移動可能に設けられる。
作動レバーばね４１８が、作動レバー４１４をスタート・ストップボタン８３０に押し付けるように付勢している。従って、スタート・ストップボタン８３０を押した後、スタート・ストップボタン８３０から指を離すと、作動レバーばね４１８のばね力により、作動レバー４１４はムーブメントの外方に向かって移動して、スタート・ストップボタン８３０は元の位置に戻る。
同様な作動が、復針伝達レバーばね５２２を用いることにより、リセットボタン８４０についてもあてはまるように構成されており、リセットボタン８４０を押した後、リセットボタン８４０から指を離すと、復針伝達レバーばね５２２のばね力により、復針伝達レバー５２０はムーブメントの外方に向かって移動して、リセットボタン８４０は元の位置に戻る。
【００３８】
作動カム４２０は駆動歯４２２と、ラチェット歯４２４を有し、回転可能に設けられる。ラチェット歯４２４は、歯数が１６枚である。駆動歯４２２は歯数が８枚であり、これは、ラチェット歯４２４の歯数の１／２である。従って、ラチェット歯４２４が１ピッチ送られると、駆動歯４２２は１／２ピッチ送られる。駆動歯４２２の外周に対応する一箇所について見ると、ラチェット歯４２４が１ピッチ送られるごとに、駆動歯４２２の頂部４２４ｔと谷部４２４ｕが交互に位置するように回転される。
ラチェット歯４２４の歯数は、駆動歯４２２の歯数の２倍であるかぎり、ラチェット歯４２４の歯数は１６枚でなくてもよい。ただし、ラチェット歯４２４の歯数は偶数である。
【００３９】
ばね部を有する作動カムジャンパ４２６が設けられ、規正部４２６ａがラチェット歯４２４を規正して、作動カム４２０の回転方向に関する位置を定める。従って、ラチェット歯４２４と作動カムジャンパ４２６により、作動カム４２０は３６０／１６度ずつ回転して、その位置に確実に位置決めされる。
復針規正レバー４３０が復針規正レバー回転案内ピン４２８（中心位置を図１７に４２８で示す）を中心に回転可能に設けられる。復針規正レバー４３０の規正部４３０ａが駆動歯４２２の２枚の歯の間に位置決めされる。
復針レバー４３２が、作動レバー案内ピン４１６（中心位置を図１７に４１６で示す）を中心に回転可能に設けられる。復針レバーばね４３４が、復針レバー４３２を時計周り方向に回転させるように、復針レバー４３２を付勢する。復針レバー４３２の分帰零作動部４３２ａは、分クロノグラフ車２６０の分ハートカム２６２に当接して、分ハートカム２６２を帰零させる。従って、この状態では、クロノグラフ分針１２４は、「ゼロ位置」を指示する。
【００４０】
分ジャンパ２６４が規正部２６４ａを有し、この規正部２６４ａが分クロノグラフ車２６０の歯車部を規正する。従って、分クロノグラフ車２６０回転方向の位置は、分ジャンパ２６４により規正されている。
復針レバー４３２の秒帰零作動部４３２ｂは、秒クロノグラフ車２１４の秒ハートカム２２０に当接して、秒ハートカム２２０を帰零させる。従って、この状態では、クロノグラフ秒針１１８は、「ゼロ位置」を指示する。
停止レバー４４０が、停止レバー回転案内ピン４３８（中心位置を図１７に４３８で示す）を中心に回転可能に設けられる。停止レバー４４０は、秒クロノグラフ車当接部４４０ａと、時発停レバーピン作動部４４０ｂと、発停レバー当接部４４０ｃと、規正部４４０ｄとを有する。停止レバー４４０の規正部４４０ｄが駆動歯４２２の２枚の歯の間に位置決めされる。
【００４１】
停止レバーばね部４４４ａと、発停レバーばね部４４４ｂとを有する発停レバーばね４４４が設けられる。発停レバーばね部４４４ｂは停止レバー４４０を反時計周り方向に付勢し、秒クロノグラフ車当接部４４０ａは秒クロノグラフ車２１４の歯車に当接する。
発停レバー４４２は、発停レバー回転案内ピン４４６（中心位置を図１７に４４６で示す）を中心に回転可能に設けられる。前述したように、案内枠４４２ｄが発停レバー４４２に設けられ、上枠４４２ｅが案内枠４４２ｄに取付けられている。上枠４４２ｅは秒クロノグラフ中間車２１２の上軸部を回転可能に案内している。発停レバーばね部４４４ｂのばね力により、発停レバー４４２は反時計周り方向に回転するように付勢されている。発停レバー４４２の当接部４４２ａが停止レバー４４０の発停レバー当接部４４０ｃに当接することにより、発停レバー４４２の回転方向の位置が定められる。図１７に示す状態では、秒クロノグラフ中間車２１２の秒クロノグラフ伝えかな２１２ｂは、秒クロノグラフ車２１４と噛み合わない。
【００４２】
時発停伝えレバー４５２が、時発停伝えレバー回転案内ピン４５６（中心位置を図１７に４５６で示す）を中心に回転可能に設けられる。時発停伝えレバー作動ピン４５０と、時発停レバー作動ピン４５４とが時発停伝えレバー４５２に設けられる。時発停伝えレバー作動ピン４５０は、停止レバー４４０の時発停レバーピン作動部４４０ｂと係合する。従って、時発停伝えレバー４５２の回転方向の位置は、停止レバー４４０により定められる。
図１７において、分クロノグラフ車２６０の回転中心は、ムーブメントのほぼ「１２時方向」に位置している。分クロノグラフ中間車２５８の回転中心は、ムーブメントの「１２時方向」と「３時方向」との間に位置している。作動カム４２０の回転中心は、ムーブメントのほぼ「３時方向」に位置している。秒クロノグラフ中間車２１２の回転中心は、ムーブメントのほぼ「９時方向」に位置している。発停レバー４４２の当接部４４２ａは、ムーブメントのほぼ「６時方向」に位置している。発停レバー４４２及び時発停伝えレバー４５２は、ムーブメントの「６時方向」と「９時方向」との間に位置している。復針レバー４３２、ムーブメントの「１２時方向」と「３時方向」との間に位置している。
【００４３】
図１８を参照すると、時発停レバー作動ピン４５４はムーブメントの表側からムーブメントの裏側に、地板１０２の一部分を貫通するように配置されている。時発停レバー作動ピン４５４は、時発停レバー作動部４５４ａを有する。時発停レバー作動部４５４ａは、時発停レバー２５４と係合することができるように構成されている。時発停レバー作動ピン４５４は、ムーブメントのほぼ「９時方向」に位置している。
図１９を参照すると、時発停レバー２５４が、時発停レバー回転案内ピン２８０（中心位置を図１９に２８０で示す）を中心に回転可能に設けられる。時発停レバー２５４は時発停レバーばね部２５４ａと、時復針伝達レバー作動部２５４ｂと、時クロノグラフ車当接部２５４ｃと、第１ピン係合部２５４ｄと、第２ピン係合部２５４ｅとを有する。第１ピン係合部２５４ｄは、第２ピン係合部２５４ｅよりも、ムーブメントの内側に近い方に位置している。
【００４４】
時発停レバーばね部２５４ａのばね力により、時発停レバー２５４は反時計周り方向に回転するように付勢されている。図１９に示す状態では、時クロノグラフ車当接部２５４ｃは時クロノグラフ車２５０の歯車部に当接している。
時復針伝達レバー５１０が、時復針伝達レバー回転案内ピン５１２（中心位置を図１９に５１２で示す）を中心に回転可能に設けられる。時復針伝達レバー５１０は、時復針レバー作動ピン５１４と、時発停レバー係合部５１０ａとを有する。時復針レバー５４０が、時復針レバー回転案内ピン４４８（中心位置を図１９に４４８で示す）を中心に回転可能に設けられる。
時復針レバー５４０は、時復針レバー作動ピン係合部５４０ａと、時帰零作動部５４０ｂとを有する。時復針伝達レバー５１０の時復針レバー作動ピン５１４が時復針レバー作動ピン係合部５４０ａと係合し、時復針レバー５４０の回転方向の位置が定められる。時復針レバー作動ピン係合部５４０ａを、長穴の形状で構成するのがよい。
【００４５】
リセットボタン８４０を作動させることにより、時復針レバー５４０の時帰零作動部５４０ｂは、時クロノグラフ車２４８の時ハートカム２５２に当接して、時ハートカム２５２を帰零させる。従って、この状態では、クロノグラフ時針１２８は、「ゼロ位置」を指示する。図１９に示す状態では、時復針レバー５４０の時帰零作動部５４０ｂは、時ハートカム２５２から離れて位置している。
【００４６】
（２−２）クロノグラフ計測時の作動
次に、図２０を参照すると、ムーブメントの２時方向にあるスタート・ストップボタン８３０を矢印４１０の方向に押す。クロノグラフ時計をクロノグラフ計測モードに設定したときには、作動レバー４１４は、作動レバー案内ピン４１６に案内されて、作動レバーばね４１８のばね力に抗して、ムーブメントの中側に向かって摺動移動する。
作動レバー４１４の摺動移動により、作動レバー４１４の作動端部４１４ｆが作動カム４２０のラチェット歯４２４を１歯だけ、時計周り方向に回転させる。ラチェット歯４２４の回転方向の位置は、作動カムジャンパ４２６の規正部４２６ａにより位置決めされる。
ラチェット歯４２４は歯数が１６枚であり、駆動歯４２２は歯数が８枚であるので、ラチェット歯４２４が１歯回転すると、駆動歯４２２も時計周り方向に１／２ピッチだけ回転される。従って、駆動歯４２２の回転により、復針規正レバー４３０が復針規正レバー回転案内ピン４２８を中心にして反時計周り方向に回転して、復針規正レバー４３０の位置決め部４３０ｆが復針レバー４３２の規正部４３２ｆに係合する。その結果、復針規正レバー４３０は、駆動歯４２２の頂部４２４ｔの外周面に載り、図２０に示す状態に保持される。
【００４７】
このような復針規正レバー４３０の回転により、復針レバー４３２の規正部４３２ｆが押され、復針レバー４３２は作動レバー案内ピン４１６を中心にして、反時計周り方向に回転される。その結果、復針レバー４３２の分帰零作動部４３２ａは、分クロノグラフ車２６０の分ハートカム２６２から離れる。従って、この状態では、クロノグラフ分針１２４は回転して、クロノグラフの計測結果の「分」を表示することができる。
また、復針レバー４３２が反時計周り方向に回転されるので、復針レバー４３２の秒帰零作動部４３２ｂは、秒クロノグラフ車２１４の秒ハートカム２２０から離れる。
駆動歯４２２の回転により、停止レバー４４０が停止レバー回転案内ピン４３８を中心にして時計周り方向に回転する。そして、図１４で前述したように、案内枠４４２ｄの外周部４４２ｆがクロノグラフ受２０２の当接部２０２ｄに当たることにより、発停レバー４４２の回転方向の位置は規正される。この状態では、停止レバー４４０は発停レバー４４２から離れて保持されている。
【００４８】
停止レバー４４０は、駆動歯４２２の頂部４２４ｔの外周面に載り、図２０に示す状態に保持される。従って、秒クロノグラフ車当接部４４０ａは秒クロノグラフ車２１４の歯車から離れる。従って、この状態では、クロノグラフ秒針１１８は回転して、クロノグラフの計測結果の「秒」を表示することができる。
停止レバー４４０の回転により、発停レバー４４２は発停レバー回転案内ピン４４６を中心にして反時計周り方向に回転される。前述したように、発停レバーばね部４４４ｂのばね力により、発停レバー４４２は、常に、反時計周り方向に回転するように付勢されている。
従って、この状態では、秒クロノグラフ伝えかな２１２ｂと秒クロノグラフ車２１４との噛み合いの状態は確実に維持されている。
【００４９】
従って、秒クロノグラフ車２１４が回転することができ、クロノグラフの「秒」及び「分」の計測が開始される。
香箱車１１０の回転に基づいて、二番車１３０、三番車１３６、秒車１５４、秒クロノグラフ中間車２１２の回転を介して、秒クロノグラフ車２１４が回転する。秒クロノグラフ車２１４は１分間に１回転するように、輪列の歯数を設定されている。
秒クロノグラフ車２１４が１回転するごとに、分回しつめ２５６により分クロノグラフ中間車２５８を１歯だけ回転させる。分クロノグラフ中間車２５８の回転により分クロノグラフ車２６０が回転し、１分経過すると、分クロノグラフ目盛りの１分に対応する角度だけ、クロノグラフ分針１２４が回転する。分クロノグラフ車２６０の回転方向の位置は、分ジャンパ２６４により規正されている。
【００５０】
更に、停止レバー４４０が回転することにより、時発停レバーピン作動部４４０ｂと係合している時発停伝えレバー作動ピン４５０が回転され、時発停伝えレバー４５２が、時発停伝えレバー回転案内ピン４５６を中心にして反時計周り方向に回転される。その結果、時発停レバー作動ピン４５４も反時計周り方向に回転される。
図１８で前述したように、時発停レバー作動ピン４５４はムーブメントの表側からムーブメントの裏側に、地板１０２の一部分を貫通している。
図２１を参照すると、時発停レバー作動ピン４５４が回転すると、第１係合部２５４ｄが押される。従って、時発停レバー２５４が、時発停レバー回転案内ピン２８０を中心にして、時発停レバーばね部２５４ａのばね力に抗して時計周り方向に回転される。その結果、時クロノグラフ車当接部２５４ｃは時クロノグラフ車２５０の歯車部から離れる。従って、この状態では、時クロノグラフ車２５０が回転することができ、クロノグラフ時針１２８は回転して、クロノグラフの計測結果の「時」を表示することができる。
【００５１】
図２２を参照すると、時クロノグラフ伝え車（Ａ）２４６が香箱車１１０の回転に基づいて回転する。時クロノグラフ伝え車（Ｃ）２４２が時クロノグラフ伝え車（Ａ）２４６の回転に基づいて回転する。時クロノグラフ伝え車（Ｂ）２４４は、時クロノグラフ伝え車（Ｃ）２４２と一体になって回転する。時クロノグラフ伝え車（Ｂ）２４４の回転により、時クロノグラフ車２５０が回転する。従って、１時間経過すると、時クロノグラフ目盛りの１時間に対応する角度だけ、クロノグラフ時針１２８が回転する。
【００５２】
（２−３）クロノグラフ計測を停止させるときの作動
図２３を参照すると、クロノグラフ計測の作動状態中に、ムーブメントの２時方向にあるスタート・ストップボタンを矢印４１０の方向に押す。
この操作により、作動レバー４１４は、作動レバー案内ピン４１６に案内されて、作動レバーばね４１８のばね力に抗して、ムーブメントの中側に向かって摺動移動する。
作動レバー４１４の摺動移動により、作動レバー４１４の作動端部４１４ｆが作動カム４２０のラチェット歯４２４を更に１歯だけ、時計周り方向に回転させる。ラチェット歯４２４の回転方向の位置は、作動カムジャンパ４２６の規正部４２６ａにより位置決めされる。
ラチェット歯４２４が１歯回転すると、駆動歯４２２も時計周り方向に更に１／２ピッチだけ回転される。
この状態でも、復針規正レバー４３０の位置決め部４３０ｆは復針レバー４３２の規正部４３２ｆに係合したままである。その結果、復針規正レバー４３０は、図２０に示す状態と同じ位置で保持される。
【００５３】
復針規正レバー４３０が回転しないので、復針レバー４３２の分帰零作動部４３２ａは、分クロノグラフ車２６０の分ハートカム２６２から離れたままである。また、復針レバー４３２の秒帰零作動部４３２ｂは、秒クロノグラフ車２１４の秒ハートカム２２０から離れたままである。
駆動歯４２２が１／２ピッチ回転されるので、停止レバー４４０の規正部４４０ｄが駆動歯４２２の２枚の歯の間に位置決めされる。発停レバーばね部４４４ｂにより、停止レバー４４０は常に反時計周り方向に付勢されているので、停止レバー４４０が停止レバー回転案内ピン４３８を中心にして反時計周り方向に回転する。停止レバー４４０の回転により、発停レバー４４２が反時計周り方向に回転する。従って、案内枠４４２ｄの外周部４４２ｆがクロノグラフ受２０２の当接部２０２ｄから離れる。この状態では、秒クロノグラフ伝えかな２１２ｂと秒クロノグラフ車２１４との噛み合いが外れる。
【００５４】
同時に、停止レバー４４０の秒クロノグラフ車当接部４４０ａは秒クロノグラフ車２１４の歯車と当接する。従って、この状態では、秒クロノグラフ車２１４の回転は規正される。その結果、クロノグラフ秒針１１８は停止して、その時点におけるクロノグラフの計測結果の「秒」の表示が維持される。また、クロノグラフ分針１２８も同時に停止して、その時点におけるクロノグラフの計測結果の「分」の表示が維持される。
前述したように、ムーブメントの表側において、停止レバー４４０の回転により、発停レバー４４２は発停レバー回転案内ピン４４６を中心にして反時計周り方向に回転される。その結果、ムーブメントの裏側において、時発停レバー作動ピン４５４はムーブメントの外側に向かって反時計周り方向に回転される。
【００５５】
図２４を参照すると、時発停レバー作動ピン４５４の回転移動により、時発停レバー２５４が、時発停レバー回転案内ピン２８０を中心にして反時計周り方向に回転される。従って、時クロノグラフ車当接部２５４ｃは時クロノグラフ車２５０の歯車部に当接する。
時クロノグラフ車２５０の回転が規正されると、時クロノグラフ伝え車（Ｂ）２４４も回転することができない。一方、香箱車１１０の回転により、時クロノグラフ伝え車（Ａ）２４６が回転し、時クロノグラフ伝え車（Ａ）２４６の回転により、時クロノグラフ伝え車（Ｃ）２４２は回転する。
従って、時クロノグラフ伝え車（Ｃ）２４２の嵌め合い部分２４４ｃは、時クロノグラフ伝え車（Ｂ）２４４の嵌め合い部分２４４ｃに対してスリップする。この構成により、香箱車１１０の回転を維持しながら、時クロノグラフ車２５０の回転を停止させることができる。
【００５６】
従って、この状態では、クロノグラフ秒針１１８、クロノグラフ分針１２４、クロノグラフ時針１２８は、スタート時点からの経過時間の「秒」、「分」、「時」をそれぞれ表示した状態で停止する。
そして、香箱車１１０の回転により、表輪列は作動を続けるので、時針１５０、分針１３４、秒針１５６により、現在の時刻の「時」、「分」、「秒」を表示することができる。
【００５７】
（２−４）クロノグラフの計測を再開する場合
図２３及び図２４に示すクロノグラフ計測の停止状態において、更にスタート・ストップボタン８３０を矢印４１０の方向に押すことにより、クロノグラフ時計を再びクロノグラフ計測モードに設定することができる。
作動レバー４１４の摺動移動により、作動レバー４１４の作動端部４１４ｆが作動カム４２０のラチェット歯４２４を１歯だけ、時計周り方向に回転させる。駆動歯４２２の回転により、復針規正レバー４３０が復針規正レバー回転案内ピン４２８を中心にして反時計周り方向に回転して、復針規正レバー４３０は、駆動歯４２２の頂部４２４ｔの外周面に載り、図２０に示す状態に保持される。
このような復針規正レバー４３０の回転により、復針レバー４３２の分帰零作動部４３２ａは、分クロノグラフ車２６０の分ハートカム２６２から離れる。従って、この状態では、クロノグラフ分針１２４は再び回転することができる。
また、復針レバー４３２が反時計周り方向に回転されるので、復針レバー４３２の秒帰零作動部４３２ｂは、秒クロノグラフ車２１４の秒ハートカム２２０から離れる。
駆動歯４２２の回転により、停止レバー４４０が停止レバー回転案内ピン４３８を中心にして時計周り方向に回転して、停止レバー４４０は、駆動歯４２２の頂部４２４ｔの外周面に載り、図２０に示す状態に保持される。従って、秒クロノグラフ車当接部４４０ａは秒クロノグラフ車２１４の歯車から離れる。従って、この状態では、クロノグラフ秒針１１８は再び回転することができる。
更に、停止レバー４４０が回転することにより、時発停レバー作動ピン４５４が回転して、時クロノグラフ車当接部２５４ｃは時クロノグラフ車２５０の歯車部から離れる。従って、時クロノグラフ車２５０は再び回転することができる。
【００５８】
（２−５）リセット作動
図２５から図２７を参照すると、クロノグラフの計測を停止させた状態において、ムーブメントの４時方向にあるリセットボタン８４０を矢印４１２で指示する方向に押すことにより、リセット作動を行うことができる。
【００５９】
図２５及び図２７を参照すると、リセットボタン８４０を押すと、ムーブメントの裏側において、時復針伝達レバー５１０が、反時計周り方向に回転して、時復針レバー作動ピン５１４により、時復針レバー５４０を時計周り方向に回転させる。すると、時復針レバー５４０の時帰零作動部５４０ｂは、時クロノグラフ車２４８の時ハートカム２５２に当接して、時クロノグラフ車２４８を帰零させる。
同時に、時復針伝達レバー５１０の回転により、時復針伝達レバー５１０の時発停レバー係合部５１０ａが時発停レバー２５４の時復針伝達レバー作動部２５４ｂと係合して、時発停レバー２５４を時計周り方向に回転させる。すると、時クロノグラフ車当接部２５４ｃは時クロノグラフ車２５０の歯車部から離れる。
【００６０】
従って、このようなリセット作動の結果、クロノグラフ時針１２８は、クロノグラフ機構の作動開始前の「零位置」に戻って停止する。
図２８を参照すると、時クロノグラフ車２５０の回転が規正されると、時クロノグラフ伝え車（Ｂ）２４４も回転することができない。一方、香箱車１１０の回転により、時クロノグラフ伝え車（Ａ）２４６が回転し、時クロノグラフ伝え車（Ａ）２４６の回転により、時クロノグラフ伝え車（Ｃ）２４２は回転する。
従って、時クロノグラフ伝え車（Ｃ）２４２の嵌め合い部分２４４ｃは、時クロノグラフ伝え車（Ｂ）２４４の嵌め合い部分２４４ｃに対してスリップする。
更に、図２７を参照すると、時発停レバー２５４が時計周り方向に回転すると、時発停レバー２５４の第２当接部２５４ｅが時計周り方向に回転することにより、時発停レバー作動ピンはムーブメントの内側に向かって移動される。すると、図２６を参照すると、時発停伝えレバー４５２は、反時計周り方向に回転される。すると、時発停伝えレバー４５２に設けられている時発停伝えレバー伝えピン４５０も反時計周り方向に回転され、時発停伝えレバー伝えピン４５０は停止レバー４４０を時計周り方向に回転させる。その結果、秒クロノグラフ車当接部４４０ａは秒クロノグラフ車２１４の歯車から離れる。この状態では、秒クロノグラフ伝えかな２１２ｂは秒クロノグラフ車２１４と噛み合っていないので、秒クロノグラフ車２１４が回転することはない。
【００６１】
図２５及び図２６を参照すると、ムーブメントの表側において、復針伝達レバー５２０が、復針伝達レバー回転案内ピン５０８を中心に回転可能に設けられる。復針伝達レバー５２０は、復針規正レバー係合部５２０ａを有する。復針伝達レバーばね５２２は、復針伝達レバー５２０を反時計周りに回転するように付勢する。
リセットボタン８４０を押すと、復針伝達レバー５２０は、時復針伝達レバー５１０の作動を介して時計周り方向に回転し、復針規正レバー係合部５２０ａが復針規正レバー４３０を押す。すると、復針規正レバー４３０は時計周り方向に回転し、復針規正レバー４３０の位置決め部４３０ｆが復針レバー４３２の規正部４３２ｆから離れる。すると、復針レバーばね４３４のばね力により、復針規正レバー４３０は、時計周り方向に回転する。すると、復針レバー４３２の分帰零作動部４３２ａは、分クロノグラフ車２６０の分ハートカム２６２に当接して、分クロノグラフ車２６０を帰零させ、同時に、復針レバー４３２の秒帰零作動部４３２ｂは、秒クロノグラフ車２１４の秒ハートカム２２０に当接して、秒クロノグラフ車２１４を帰零させる。
【００６２】
上述したリセットの作動においては、「停止レバー４４０の秒クロノグラフ車当接部４４０ａが秒クロノグラフ車２１４の歯車から離れる」作動が、「秒クロノグラフ車２１４を帰零させる」作動よりも先に完了するように、関連する部品の寸法及び形状が決められている。
すなわち、リセットボタン８４０を押すストロークに対応して、時復針伝達レバー５１０、時発停レバー２５４、時発停伝えレバー４５２が作動して、停止レバー４４０を回転させ、秒クロノグラフ車当接部４４０ａは秒クロノグラフ車２１４の歯車から離す。その後に、復針伝達レバー５２０、復針規正レバー４３０及び復針規正レバー４３０の作動により、復針レバー４３２の分帰零作動部４３２ａは、分クロノグラフ車２６０を帰零させ、復針レバー４３２の秒帰零作動部４３２ｂは、秒クロノグラフ車２１４を帰零させるように構成されている。
【００６３】
従って、秒クロノグラフ車２１４及び分クロノグラフ車２６０を帰零させる作動は、停止レバー４４０の停止力と緩衝することなく確実に達成される。
以上の作動は、クロノグラフの計測中の停止状態に関するものである。クロノグラフの計測中には、復針規正レバー４３０が駆動歯４２２の外周面に載っているため、クロノグラフ時計がリセットされることはない。
（３）クロノグラフ時計の作動の説明
（３−１）クロノグラフ機構を作動させていない状態
図２９を参照すると、クロノグラフ機構を作動させていない状態においては、時針１５０は、現在の時刻のうちの「時」を示し、分針１３４は、現在の時刻のうちの「分」を示し、秒針１５６（いわゆる小秒針）は、現在の時刻のうちの「秒」を示している。図２９に示すクロノグラフ時計は、「１０時８分１２秒」から「１０時８分１３秒」の中間の時刻を表示している。
【００６４】
この状態で、クロノグラフ時針１２８は、「１２」を指示した位置で停止し、クロノグラフ分針１２４は、「３０」を指示した位置で停止し、クロノグラフ秒針１１８は、時計の１２時方向、即ち、「６０」を指示した位置で停止している。
クロノグラフ秒針１１８は、１分間に１回転するように構成され、クロノグラフ秒針１１８に対応するクロノグラフ秒目盛８１０は、時計の外周に沿って、即ち、クロノグラフ秒針１１８の先端の回転軌跡に沿って、「５」、「１０」、「１５」・・・「５０」、「５５」及び「６０」が設けられている。
一例として、本発明のクロノグラフ時計の実施の形態は、いわゆる「８振動」の時計となるように構成されている。「８振動」とは、てんぷが１時間に２８８００振りするような構成をいう。
【００６５】
ここで、「振り」とは、てんぷが１つの方向に回転する状態を示し、てんぷは「２振り」でもとの位置に戻る。
すなわち、「８振動」の時計では、てんぷは１秒間に８振りし、１秒間で４往復するように振動する。
クロノグラフ時計を、いわゆる「１０振動」の時計となるように構成してもよい。「１０振動」とは、てんぷが１時間に３６０００振りするような構成をいう。「１０振動」の時計では、てんぷは１秒間に１０振りし、１秒間で５往復するように振動する。
このように構成することにより、「１／１０秒」単位でクロノグラフ計測をすることができるクロノグラフ時計を実現することができる。この構成では、クロノグラフ秒目盛８１０を、「１／１０秒」ごとに設けるか、或いは、クロノグラフ秒目盛８１０を、「１／５秒」ごとに設けるのがよい。
【００６６】
このように構成することにより、高い精度のクロノグラフ時計を実現することができる。
クロノグラフ時計を、いわゆる「５．５振動」又は「６振動」の時計となるように構成してもよい。これらの構成では、クロノグラフ秒目盛８１０を、振動の数に合わせて設定し、輪列の歯数も振動の数に合わせて設定する。
クロノグラフ分針１２４は、３０分間に１回転するように構成され、クロノグラフ分針１２４に対応するクロノグラフ分目盛８１２は、クロノグラフ分針１２４の先端の回転軌跡に沿って、「５」、「１０」、「１５」、「２０」、「２５」及び「３０」が設けられている。クロノグラフ分針１２４は、６０分間に１回転するように構成してもよい。
【００６７】
クロノグラフ時針１２８は、１２時間に１回転するように構成され、クロノグラフ時針１２８に対応するクロノグラフ時目盛８１４は、クロノグラフ時針１２８の先端の回転軌跡に沿って、「１」、「２」、「３」・・・「１１」及び「１２」が設けられている。クロノグラフ時針１２８は、２４時間に１回転するように構成してもよい。
日車２７０の日文字８２０が現在の日付を表示している。図２９に示すクロノグラフ時計は、「５日」を表示している。
本発明のクロノグラフ時計では、時針１５０の回転中心、分針１３４の回転中心、及びクロノグラフ秒針１１８の回転中心を時計のほぼ中心に配置し、秒針１５６（いわゆる小秒針）の回転中心を時計の９時側に配置し、クロノグラフ分針１２４の回転中心を時計の１２時側に配置し、クロノグラフ時針１２８の回転中心を時計の６時側に配置してある。従って、本発明のクロノグラフ時計では、それぞれの指針の表示が非常にわかりやすい。
【００６８】
（３−２）クロノグラフ機構を作動させている状態
図３０を参照すると、クロノグラフ時計の２時方向にあるスタート・ストップボタン８３０を押して、クロノグラフの計測を開始させる。
図３０に示す状態では、クロノグラフ時針１２８は、クロノグラフ時目盛８１４の「１」と「２」の間を指示しつつ回転を続け、クロノグラフ分針１２４は、クロノグラフ分目盛８１２の「２２」を指示しつつ回転を続け、クロノグラフ秒針１１８は、クロノグラフ秒目盛８１０の「１６」と「１７」の間を指示しつつ回転を続けている。
すなわち、クロノグラフ時計の計測は、この瞬間に、「１時間２２分１６秒７」を経過している状態である。
そして、この状態においても、時針１５０は、現在の時刻のうちの「時」を示し、分針１３４は、現在の時刻のうちの「分」を示し、秒針１５６は、現在の時刻のうちの「秒」を示している。
【００６９】
（３−３）クロノグラフ機構を停止させた状態
図３０に示す状態で、クロノグラフ時計の２時方向にあるスタート・ストップボタン８３０を、もう１回押すと、クロノグラフ時計の計測を停止させることができる。従って、クロノグラフ時計は、「１時間２２分１６秒７」を表示して停止した状態になる。
そして、この状態においても、時針１５０は、現在の時刻のうちの「時」を示し、分針１３４は、現在の時刻のうちの「分」を示し、秒針１５６は、現在の時刻のうちの「秒」を示している。
（３−４）リセットの作動
図３１を参照すると、リセットボタン８４０を押すと、クロノグラフ秒針１１８、クロノグラフ分針１２４、クロノグラフ時針１２８は、クロノグラフ機構の作動開始前の「零位置」に戻って停止する。
そして、この状態においても、時針１５０は、現在の時刻のうちの「時」を示し、分針１３４は、現在の時刻のうちの「分」を示し、秒針１５６は、現在の時刻のうちの「秒」を示している。
【００７０】
【発明の効果】
本発明のクロノグラフ時計は、発停機構を構成するレバー装置の構造が簡単であり、クロノグラフ時計の組み立てが容易である。
また、本発明のクロノグラフ時計は、クロノグラフ時計の発停に用いられるばねのばね特性が良いので、確実に発停機構を作動させることができる。
【図面の簡単な説明】
【図１】本発明のクロノグラフ時計の実施の形態において、クロノグラフ機構を作動させていない状態における、クロノグラフ機構の発停部（秒クロノグラフ車〜秒クロノグラフ中間車〜秒車）を示す概略部分断面図である。
【図２】本発明のクロノグラフ時計の実施の形態において、分クロノグラフ輪列（分クロノグラフ中間車〜分クロノグラフ車）を示す概略部分断面図である。
【図３】本発明のクロノグラフ時計の実施の形態において、表輪列、脱進装置、調速装置を示す概略部分断面図である。
【図４】本発明のクロノグラフ時計の実施の形態において、分伝えかなの部分を示す概略部分断面図である。
【図５】本発明のクロノグラフ時計の実施の形態において、表輪列、脱進装置、調速装置を示す概略部分平面図である。
【図６】本発明のクロノグラフ時計の実施の形態の輪列構成を示す機能ブロック図である。
【図７】本発明のクロノグラフ時計の実施の形態において、クロノグラフ機構を作動させていない状態における、クロノグラフ機構の発停部（秒クロノグラフ車〜秒クロノグラフ中間車）の部分を示す概略部分平面図である。
【図８】本発明のクロノグラフ時計の実施の形態における、秒クロノグラフ車の拡大平面図である。
【図９】本発明のクロノグラフ時計の実施の形態における、秒クロノグラフ車の拡大正面図である。
【図１０】本発明のクロノグラフ時計の実施の形態において、時クロノグラフ輪列（時クロノグラフ伝え車〜時クロノグラフ車）を示す概略部分断面図である。
【図１１】本発明のクロノグラフ時計の実施の形態において、時クロノグラフ輪列（時クロノグラフ伝え車〜時クロノグラフ車）を示す概略部分平面図である。
【図１２】本発明のクロノグラフ時計の実施の形態において、時クロノグラフ伝え車（Ｃ）を示す拡大平面図である。
【図１３】本発明のクロノグラフ時計の実施の形態の輪列構成を示す機能ブロック図である。
【図１４】本発明のクロノグラフ時計の実施の形態において、クロノグラフ機構を作動させている状態における、クロノグラフ機構の発停部を示す概略部分断面図である。
【図１５】本発明のクロノグラフ時計の実施の形態において、クロノグラフ機構を作動させている状態における、クロノグラフ機構の発停部を示す概略部分拡大平面図である。
【図１６】本発明のクロノグラフ時計の実施の形態において、クロノグラフ機構を作動させていない状態における、発停機構の構成を示す機能ブロック図である。
【図１７】本発明のクロノグラフ時計の実施の形態において、クロノグラフ機構を作動させていない状態における、ムーブメントの表側を示す概略平面図である。
【図１８】本発明のクロノグラフ時計の実施の形態において、時発停レバー、時発停伝えレバー、時発停レバー作動ピンを示す概略部分断面図である。
【図１９】本発明のクロノグラフ時計の実施の形態において、クロノグラフ機構を作動させていない状態における、ムーブメントの裏側を示す概略部分平面図である。
【図２０】本発明のクロノグラフ時計の実施の形態において、クロノグラフ機構をスタートさせた状態における、ムーブメントの表側を示す概略部分平面図である。
【図２１】本発明のクロノグラフ時計の実施の形態において、クロノグラフ機構をスタートさせた状態における、ムーブメントの裏側を示す概略部分平面図である
【図２２】本発明のクロノグラフ時計の実施の形態において、クロノグラフ機構をスタートさせた状態における、時クロノグラフ輪列を示す概略部分平面図である。
【図２３】本発明のクロノグラフ時計の実施の形態において、クロノグラフ機構を停止させた状態における、ムーブメントの表側を示す概略平面図である。
【図２４】本発明のクロノグラフ時計の実施の形態において、クロノグラフ機構を停止させた状態における、ムーブメントの裏側を示す概略部分平面図である。
【図２５】本発明のクロノグラフ時計の実施の形態において、リセット機構の構成を示す機能ブロック図である。
【図２６】本発明のクロノグラフ時計の実施の形態において、クロノグラフ機構をリセットさせた状態における、ムーブメントの表側を示す概略平面図である。
【図２７】本発明のクロノグラフ時計の実施の形態において、クロノグラフ機構をリセットさせた状態における、ムーブメントの裏側を示す概略部分平面図である
【図２８】本発明のクロノグラフ時計の実施の形態において、クロノグラフ機構の作動をリセットさせた状態における、時クロノグラフ輪列を示す概略部分平面図である。
【図２９】本発明のクロノグラフ時計の実施の形態において、クロノグラフ機構を作動させていない状態における、クロノグラフ時計の外観を示す平面図である。
【図３０】本発明のクロノグラフ時計の実施の形態において、クロノグラフ機構をスタートさせた状態における、クロノグラフ時計の外観を示す平面図である。
【図３１】本発明のクロノグラフ時計の実施の形態において、クロノグラフ機構の作動をリセットさせた状態における、クロノグラフ時計の外観を示す平面図である。
【図３２】従来のクロノグラフ時計の機能ブロック図である。
【符号の説明】
１００  ムーブメント（機械体）
１０２  地板
１０４  文字板
１０８  巻真
１１０  香箱車
１１４  分伝えかな
１１８  クロノグラフ秒針
１２０  二番受
１２２  三番受
１２４  クロノグラフ分針
１２８  クロノグラフ時針
１３０  二番車
１３２  分車
１３４  分針
１３６  三番車
１４０  てんぷ
１４２  アンクル
１４４  がんぎ車
１４６  日の裏車
１４８  筒車
１５０  時針
１５４  秒車
１５６  秒針
１７０  針座
２０２  クロノグラフ受
２１０  回転錘
２１２  秒クロノグラフ中間車
２１４  秒クロノグラフ車
２２０  秒ハートカム
２４２  時クロノグラフ伝え車（Ｃ）
２４４  時クロノグラフ伝え車（Ｂ）
２４６  時クロノグラフ伝え車（Ａ）
２５０  時クロノグラフ車
２５０ａ  時クロノグラフ歯車
２５０ｂ  時クロノグラフ真
２５２  時ハートカム
２５４  時発停レバー
２５６  分回しつめ
２５８  分クロノグラフ中間車
２６０  分クロノグラフ車
２６０ａ  分クロノグラフ歯車
２６０ｂ  分クロノグラフ真
２６２  分ハートカム
２７０  日車
２７２  日車押さえ
２９０  切換装置
３１２  表輪列
３２２  分クロノグラフ輪列
３３２  第１時クロノグラフ輪列
３３４  時クロノグラフスリップ機構
３３６  第２時クロノグラフ輪列
４１４  作動レバー
４２０  作動カム
４２２  駆動歯
４２４  ラチェット歯
４２６  作動カムジャンパ
４３０  復針規正レバー
４３２  復針レバー
４３４  復針レバーばね
４４０  停止レバー
４４２  発停レバー
４４４  発停レバーばね
４５０  時発停伝えレバーピン
４５２  時発停伝えレバー
４５４  時発停レバー作動ピン
５１０  時復針伝達レバー
５１２  時復針伝達レバーピン
５１４  復針レバー作動ピン
５２０  復針伝達レバー
５２２  復針伝達レバーばね
５２４  復針規正レバー
５３０  復針レバー
５３２  復針レバーばね
８１０  クロノグラフ秒目盛
８１２  クロノグラフ分目盛
８１４  クロノグラフ時目盛
８２０  日文字
８３０  スタート・ストップボタン
８４０  リセットボタン
【図１】
0003568907.tif 000002
【図２】
0003568907.tif 000003
【図３】
0003568907.tif 000004
【図４】
0003568907.tif 000005
【図５】
0003568907.tif 000006
【図６】
0003568907.tif 000007
【図７】
0003568907.tif 000008
【図８】
0003568907.tif 000009
【図９】
0003568907.tif 000010
【図１０】
0003568907.tif 000011
【図１１】
0003568907.tif 000012
【図１２】
0003568907.tif 000013
【図１３】
0003568907.tif 000014
【図１４】
0003568907.tif 000015
【図１５】
0003568907.tif 000016
【図１６】
0003568907.tif 000017
【図１７】
0003568907.tif 000018
【図１８】
0003568907.tif 000019
【図１９】
0003568907.tif 000020
【図２０】
0003568907.tif 000021
【図２１】
0003568907.tif 000022
【図２２】
0003568907.tif 000023
【図２３】
0003568907.tif 000024
【図２４】
0003568907.tif 000025
【図２５】
0003568907.tif 000026
【図２６】
0003568907.tif 000027
【図２７】
0003568907.tif 000028
【図２８】
0003568907.tif 000029
【図２９】
0003568907.tif 000030
【図３０】
0003568907.tif 000031
【図３１】
0003568907.tif 000032
【図３２】
0003568907.tif 000033